(57)【要約】 【課題】大きさ、構造、材質が多種多様な建築物の外壁や屋根等の外面、あるいは構造物の外面を処理した、シーリング剤、補修塗装による塗膜、コーキング剤を、より簡単な装置により加熱すること。【解決手段】開口部を有するハウジング内に、開口部に向けて赤外線を照射するように赤外線照射源を配置してなり、開口部の縁にはスペーサーを有する建築物・構造物外面加熱装置。  【選択図】図１
2017133812.tif 000002
【特許請求の範囲】
【請求項１】
開口部を有するハウジング内に、開口部に向けて赤外線を照射するように赤外線照射源を配置してなり、開口部の縁にはスペーサーを有する建築物・構造物外面加熱装置。  
【請求項２】
該ハウジングにはロープを接続してなる請求項１に記載の建築物・構造物外面加熱装置。  
【請求項３】
ハウジング内の明暗を検知し、暗い場合にのみ赤外線照射源に通電する機構を有する請求項１に記載の建築物・構造物外面加熱装置。  
【発明の詳細な説明】
【技術分野】
【０００１】
本発明は、建築物・構造物の外面を加熱する装置及び加熱方法に関する。
【背景技術】
【０００２】
加熱硬化型シーリング剤は特許文献１及び２に記載されているように公知ではあるが、このようなシーリング剤は専ら車輌の構造をシーリングするために使用されるものである。そのため、このシーリング剤を塗布後に硬化する際は、車輌を置いた工場内でそのシーリング面に対向してヒーター等の熱源を設置し加熱していた。
【０００３】
一方車輌ではなく建築物に対しても、例えば特許文献３に示すようにシーリング剤を用いたシーリング等が行われているが、このようなシーリング剤は加熱硬化させるものではなく、通常は自然乾燥、あるいは経時等により硬化するものである。
また建築物の目地にシール材を設け、その目地を構成する金属材料を誘導加熱することによって、該シール材を加熱することは特許文献４に記載されている。また特許文献５には建築物の外壁塗装上にタイルを貼り付けて加熱させる方法が記載されている。
【先行技術文献】
【特許文献】
【０００４】
【特許文献１】特開昭６３−１２６５７９号公報
【特許文献２】特表２０１４−５０７４９７号公報
【特許文献３】特開２０１１−２０２４８７号公報
【特許文献４】特開２０１５−１６３７６２号公報
【特許文献５】特開２００４−３３２４５９号公報
【発明の概要】
【発明が解決しようとする課題】
【０００５】
上記背景技術は、自動車や建築物にシーリング剤を用いてシーリングした後に、このシーリング剤を加熱させるものである。しかしこれは自動車へのシーリングは車体一面のシーリング箇所に対向して大きなヒーター等を設置して、シーリング剤を加熱することによるが、元々このような作業は工場の屋内にて行うものであるし、対象が自動車であるからこそ採用できる加熱手段であった。
そして建築物に対しては上記背景技術に示すように、外壁のシーリング箇所を誘導加熱することによってシーリング剤を加熱していたため、誘導加熱され得る材料からなる建築材料を使用する場合に限定され、また、シーリング剤を直接加熱しないことから、融合加熱され得る材料の構造や形状等がシーリング剤の加熱の程度に影響するなど、加熱の管理が困難であった。
また、建築物の外面を処理する際、例えば冬期の低温な時期には、シーリング剤等の硬化や乾燥がほとんど進まず、その後の工程が遅延する原因となっている。さらに、数時間後に降雨が予測される際には、シーリング剤等の硬化や乾燥が降雨によって阻害されないように、シーリング剤等を用いた工事を例えば後日にする等の措置をとるため、これも施工の遅延する原因にもなっていた。
その結果工事全体が遅延したり、工事のコストが増大するといった支障が生じたりしていた。
本発明は、大きさ、構造、材質が多種多様な建築物の外壁や屋根等の外面、あるいは構造物の外面を処理した、シーリング剤、補修塗装による塗膜、コーキング剤を、より簡単な装置により加熱することを課題としている。
【課題を解決するための手段】
【０００６】
上記の課題を解決する目的で、本発明は以下の手段を採用する。
１．開口部を有するハウジング内に、開口部に向けて赤外線を照射するように赤外線照射源を配置してなり、開口部の縁にはスペーサーを有する建築物・構造物外面加熱装置。  
２．該ハウジングにはロープを接続してなる１に記載の建築物・構造物外面加熱装置。  
３．ハウジング内の明暗を検知し、暗い場合にのみ赤外線照射源に通電する機構を有する１に記載の建築物・構造物外面加熱装置。  
【発明の効果】
【０００７】
季節・天候に左右されずシーリング等の工程を円滑に進め、ひいては、施工を予定通り行うことができる。
【図面の簡単な説明】
【０００８】
【図１】本発明の建築物・構造物外面加熱装置の斜視図
【図２】本発明の建築物・構造物外面加熱装置を上面図
【図３】本発明の建築物・構造物外面加熱装置を下面図
【図４】本発明の建築物・構造物外面加熱装置の側面図
【図５】本発明の建築物・構造物外面加熱装置の断面図
【図６】屋根における使用を説明する図
【図７】外壁における使用を説明する図
【発明を実施するための形態】
【０００９】
本発明の建築物・構造物外面加熱装置が使用される対象は、建築物及び構造物の外面であり、具体的には、家屋やビルの外壁面、屋根の上面、橋梁、タンク、擁壁、塀等の外気に曝される表面である。
そして、使用される場合とは、例えば建築物・構造物外面の補修すべき箇所にシーリング剤や補修塗料を施工したシーリング箇所や補修塗装箇所、あるいはコーキング剤により処理した各種処理箇所であって、乾燥や硬化を行うことが必要とされる箇所である。なかでもシーリング剤による処理箇所に用いることが好ましい。
そのようなシーリング剤、補修塗料、コーキング剤としては公知のものから任意に使用することができる。
【００１０】
本発明の建築物・構造物外面加熱装置は、各種処理箇所にハウジングの開口部を向けて設置され、該ハウジング内には各種処理箇所を加熱するための赤外線を照射する赤外線照射源が設けられている。
現場施工にて各種処理箇所を加熱するために、本発明の建築物・構造物外面加熱装置は、軽量・小型等の携帯性に優れること、防水性に優れることが必要である。
【００１１】
（ハウジング）
本発明の建築物・構造物外面加熱装置におけるハウジングとしては、内部に下記の赤外線照射源を収納・固定して、該各種処理箇所表面に開口部を向けて、該赤外線照射源から放射する赤外線を各種処理箇所に照射するためものである。
そのため、該赤外線照射源から放射された赤外線をより効率良く各種処理箇所表面に照射させるために、ハウジング内面をアルミニウム層、銀層等の金属層を備えた反射面とすることもできる。
このようなハウジングとしては、赤外線照射源を備えるに必要な強度を有する範囲において、任意の材料、例えば樹脂や金属等を用いて得ることができる。
ハウジングの内面構造は、球面状、楕円面状、放物線状、円錐面状、多角錐面状や、不定形の面状、及びそれらを組み合わせてなる凹面状であればよい。
赤外線照射源から放射された赤外線は、各種処理箇所に対して厳密に焦点を合わせるほどの必要はないので、ハウジングの内面形状は各種処理箇所及び必要に応じてその周囲を加熱できる形状、あるいはハウジング内の加熱された空気を流出させることなく、ある程度保持できる程度であればよい。
またハウジングは一体形状で形成されていてもよく、さらに複数の部材を組み合わせて形成されていてもよい。
【００１２】
（赤外線照射源）
使用する赤外線照射源としては、公知の形状及び出力の赤外線ランプでよく、電源を使用するその他の赤外線照射源でもよい。そして、各種処理箇所を３０〜８０℃程度に加熱できる程度の出力を備えればよい。
ただし、直線状のシーリング等を加熱する場合には、その形状に対応して赤外線ランプも直管状のものが好ましく、例えば、直管の長さは２０〜３０ｃｍでもよい。
赤外線照射源は家庭用１００Ｖ、２００Ｖ等の交流電源、または直流電源により赤外線を照射できるものであればよく、好ましくは家庭用１００Ｖ電源を使用する。
また、このような電源ではなく充電池等の携帯用電源に接続してもよく、加えて充電池等の電池の収納部をハウジングに設けることで、コードレスとして使用することもできる。
【００１３】
（スペーサー）
本発明におけるスペーサーは、各種処理箇所が形成された、凹凸面や平面の屋根や壁面等に建築物・構造物外面加熱装置を設置する際に、該凹凸や平面等の表面の形状がどのようなものであっても、安定してその表面より、該赤外線照射源を一定の距離に維持できるようにし、かつ使用時においてハウジング内外の空気が流通する程度の間隙を形成するための部材である。
そのため、特に傾斜した屋根に対して使用する際には、傾斜によって滑らないように、ゴムやスポンジ等の多孔体等の摩擦係数が大きい材料を採用することが望ましく、該開口部の全周にわたってスペーサーを形成させることもできる。また、該開口部の全周を部分的に覆うように形成されていてもよい。
以下、図面に基づいて本発明を説明する。
【００１４】
図１におけるハウジングＨの形状は、略楕円のお椀を伏せたような形状であり、その下部にスペーサーを設けている。
図１に示したハウジングＨの他に、ハウジングＨの形状は、内部に赤外線ランプを設置できる大きさ及び形状であればよく、断面が円形や長方形等任意の形状にすることができる。
さらにハウジングＨの下部に設けたスペーサーＳは図１に示すように、略円形のものでもよいが、多角形、楕円、その他不定形の形状等任意の形状のものであり、スペーサーＳの設置個数は図１に示す４個以外に５個以上でもよく、２個又は３個でもよい。
必要なことは、スペーサーを設けることによって、建築物・構造物外面加熱装置の、特に赤外線照射源が、建築物の屋根や外壁等、または建造物の外面等に、安定した距離を保持して設けられることである。
【００１５】
図２に示すように、ハウジングＨからは、家庭用電源や発電機等のコンセント、又は外部に設置した蓄電池に接続するための電源コードＰを伸ばすことができる。また、電源コードＰを設けることに代えて、図示はしないが、ハウジングＨに蓄電池を設けておき、その蓄電池を電源として赤外線照射源を点灯してもよい。また、ハウジングＨには電源スイッチＳＷを設けることもできる。
さらにハウジングＨには、ロープＲを接続することもできる。ロープＲを接続することにより、ロープＲを引くなどして建築物・構造物外面加熱装置を連続的又は間欠的に移動させながら、屋根や外壁等の表面を加熱することができる。
【００１６】
さらに、図３の下面図に示すように、ハウジング内には赤外線ランプＬが設けられており、スイッチのＯＮ等によって、対象物に対して赤外線を放射することができる。
ハウジング内の明暗を検知し、暗い場合にのみ赤外線照射源に通電する機構を有してもよい。
そのときには、スイッチをメインスイッチとし、かつハウジング内部にハウジング内の明暗を検知する光センサを設けておき、該メインスイッチがＯＮで、かつ光センサがハウジング内部が暗いことを検知したときに、赤外線照射源に通電するようにしてもよい。
そうすると、本発明の建築物・構造物外面加熱装置が、屋根や外壁等の加熱される予定のシーリング剤等によって処理された面に設けられた状態、つまり、本発明の建築物・構造物外面加熱装置と該処理された面との間に形成された隙間からのみ、外部からの光がハウジング内に入るので、該ハウジング内は明らかに外部より暗くなる状態、において加熱を開始することができる。
そして、このようなセンサを設けたときには、屋根や外壁等に本発明の建築物・構造物外面加熱装置が設けられていないときには、たとえメインスイッチがＯＮであっても、赤外線照射源に通電をすることがない。
なお、ＯＦＦタイマーなどを設けておくことなども任意に実施できる。
ハウジング内の空間は、対象物を加熱すると同時に、その周囲の雰囲気の温度も上昇させることによって、対象物に施されたシーリング剤等及びその周囲の部材をより加熱することで、該シーリング剤等を硬化させることができる。
もちろん赤外線ランプＬの形状は、図３に示すような線状でもよく、球状等の他の形状でもよい。また赤外線ランプＬとしては、石英管内にフィラメントを有するＬＴヒーター、ハロゲンヒーター、ＬＥＤヒーター等、公知の赤外線を照射して対象物を加熱するための赤外線照射源を１つ以上採用することができる。
【００１７】
図４に示されるように、本発明の建築物・構造物外面加熱装置にはスペーサーＳを設けることが必要である。
本発明の建築物・構造物外面加熱装置はハウジング内の雰囲気と外気が遮断された状態で使用されるものではなく、ハウジングＨ内と外との間で空気が交換されることにより、何らかの原因、例えば、シーリング処理等を行う面の材質や色により赤外線の吸収率が異なり、その結果、ハウジングＨ内の空気やシーリング剤等が過度に加熱されることを防止することができる。
図３においては、ハウジングＨの４箇所にスペーサーＳを設けたが、スペーサーＳの大きさは任意であり、スペーサーＳを設ける箇所及び数は４箇所に限定されず任意とすることができる。そのような材料としては、ゴム、スポンジ、プラスチック、木材、竹材、布材を採用することができる。
スペーサーＳの特に建築物や構造物の屋根や外壁等の外面に接する面、つまり接触面は、図３に示すような円形である必要はなく、円形の他に任意の形状とすることも可能である。
またスペーサーＳのその接触面は、外面に損傷を与えないような材料から構成されることが必要である。加えて、外面が水平面や垂直面であれば特段問題にはならないが、本発明の建築物・構造物外面加熱装置が屋根等の傾斜面で使用されるときには、場合によっては、本発明の建築物・構造物外面加熱装置が滑り落ちる可能性がある。そのため、その接触面を摩擦性が高い材料、例えばゴム等から構成して多少の傾斜面でも滑り落ちないようにしたり、また接触面１を平面ではなく凹凸面とすることにより、傾斜面に対する接触面の摩擦力を増加させたりすることもできる。
また、摩擦力を増加させることとは逆に、傾斜面に対する接触面の摩擦力を小さくさせて滑りやすくしてもよい。このように滑りやすくすることによって、例えば傾斜した外面上において、ロープＲ等によって本発明の建築物・構造物外面加熱装置を牽引して使用する際には、牽引時の抵抗を低減させることができる。
【００１８】
さらに外面が平面ではなく、スレート等のように波状であったり、断面が台形状であるコルゲート形状であったり、あるいは不規則に凹凸を有する面であっても、図４（ａ）に示すスペーサーＳを採用することはできるが、さらに確実に接触面を外面に接触させて、本発明の建築物・構造物外面加熱装置が外面に対して滑ることなく、又はシーリング剤等に対する赤外線ランプＬの距離をなるべく一定とするためには、図４（ｂ）に示すように、ハウジングＨに対して各スペーサーＳの向きを任意の手段により可変として、結果的に接触面の向きを変更できるようにすることが好ましい。
各スペーサーＳの向きを可変にするとは、例えば図４（ｂ）スペーサーＳの向きをそれぞれ図４（ｂ）に示す矢印方向に変えたり、また図４（ｂ）の紙面の手前又は奥の方向に変えたり、あるいは各スペーサーの向きを前後左右、あるいは斜めのいずれの向きにも自由に変更できることである。
このように接触面の向きを可変とすることによって、たとえば、外壁等が縦方向または横方向に向けて凹凸を有してしている場合等どのような表面凹凸の外面に対しても、本発明の建築物・構造物外面加熱装置によれば、安定してシーリング剤等による処理部にヒーターを正しく向けて、各スペーサーＳの接触面１を柔軟に正対させることができる。  
【００１９】
図５は、本発明の建築物・構造物外面加熱装置の断面図であり、赤外線ランプＬから赤外線が照射されている状態の図である。
図示していないが、赤外線ランプＬに対向する箇所にシーリング剤などによる処理部があり、この赤外線ランプＬから放射される赤外線によって、効率よく加熱される。
【００２０】
図６は、本発明の建築物・構造物外面加熱装置を家屋の屋根上にて使用したときの例を示す図である。
屋根上に設けた滑車２にロープＲを通し、図示はしないが、軒下等に設置したモーターや手動によってロープを図中の矢印方向に引くことにより、滑車２を介してハウジング２を有する本発明の建築物・構造物外面加熱装置を引き上げる。
例えば、予め屋根の上に滑車２を設けておき、屋根の軒先から真っ直ぐ上方に向けてシーリング剤等による処理をしておく。その後に図６に示すようにして、屋根の軒先側から順に本発明の本発明の建築物・構造物外面加熱装置を引き上げることによって該シーリング剤等を加熱し、乾燥・硬化させる。
なお、上記のように屋根の縦方向ではなく、屋根の横方向をシーリング剤等で処理することはあるが、そのときには、屋根の横方向の一方の端部に上記滑車２を設け、他方からロープＲを引きながら、本発明の建築物・構造物外面加熱装置を移動させることもできる。
このとき、本発明の建築物・構造物外面加熱装置の引き上げや移動は、連続的に引き上げるようにしてもよく、また、数分間、本発明の建築物・構造物外面加熱装置を静置し、その静置箇所のシーリング剤等を予定するだけ加熱した後、赤外線ランプの長さ分だけ、又は本発明の建築物・構造物外面加熱装置の長さ分だけ等の距離を移動させ、その移動先にてその都度静置させる方法を採用することができる。
いずれにしても、本発明の建築物・構造物外面加熱装置の全移動距離にわたり、均一に加熱されることが必要である。
例えば３０ｃｍの区間を５分間加熱し、その後３０ｃｍ移動して５分間加熱することを繰り返して、９ｍの長さの区間を計１５０分かけて加熱することができる。冬期等の乾燥しない季節や、降雨が予定される場合等、加熱・乾燥に要する時間を短くする必要があるときには、本発明の建築物・構造物外面加熱装置を使用することにより、安定的に予定したとおりの時間をかけてシーリング剤等による処理部分の施工を完了することができる。
さらに、上記の例では滑車やロープを使用したが、これらを使用することなく、人が所定時間毎に手で本発明の建築物・構造物外面加熱装置を移動させるようにしてもよい。このときには、特に斜めの屋根上において、本発明の建築物・構造物外面加熱装置を手で支持しなくても、滑る等して位置ズレをおこすことがないように、スペーサーＳの接触面１は屋根の表面部材に対して、特に摩擦力が大きいことが好ましい。
そのため、該接触面１はゴムで形成されていてもよく、そのゴム表面に、凹凸を形成させることができる。
【００２１】
図７は家屋の外壁を対象に本発明の建築物・構造物外面加熱装置を使用するときの態様を示す図である。
外壁近くに三脚３を置き、カウンターウェイト４によりバランスを取りながら、外壁上部付近に滑車２を配置する。滑車２にロープＲを掛けて、ロープＲの一端に本発明の建築物・構造物外面加熱装置のハウジングＨを接続し、他端はモーター等の巻き取り装置５を接続する。
シーリング剤等によって、外壁を縦方向に処理した後、図７に示す状態に本発明の建築物・構造物外面加熱装置を設け、加熱を行いながら巻き取り装置５を駆動して本発明の建築物・構造物外面加熱装置を上方に向けて移動させる。必要な加熱を行うように、連続的な移動時の移動速度を調整し、または、一旦静止した箇所で十分にシーリング剤等を加熱した後に、ハウジングの長さや赤外線ランプの長さ等の一定距離のみ移動・静止して加熱を行うことを繰り返して、外壁の下部から上部にかけて加熱を行うことができる。
滑車２の大きさを考慮して、ロープＲを接続するハウジングＨの箇所を調整し、ハウジングが最上部に位置して、外壁最上部のシーリング剤等まで十分に加熱するようにすることができる。
なお、電源コードについては図示していないが、ハウジングの下部から下に向けて下げるようにしてもよい。
【符号の説明】
【００２２】
Ｈ・・・ハウジング
Ｌ・・・赤外線ランプ
Ｓ・・・スペーサー
Ｒ・・・ロープ
Ｐ・・・電源コード
ＳＷ・・電源スイッチ
１・・・接触面
２・・・滑車
３・・・三脚
４・・・カウンターウェイト
５・・・巻き取り装置
【図１】
2017133812.tif 000003
【図２】
2017133812.tif 000004
【図３】
2017133812.tif 000005
【図４】
2017133812.tif 000006
【図５】
2017133812.tif 000007
【図６】
2017133812.tif 000008
【図７】
2017133812.tif 000009